(57)【要約】【課題】  従来、経営管理者自身が経営指標数値の見通し数値に関して、シミュレーションを行うことはなく、また、経営指標数値は日々管理されており、シミュレーションの結果を新見通し数値として反映させる機能はなかった。【解決手段】  本発明では、Ｗｅｂ上で原価、出荷計画台数、為替等をシミュレーションパラメータとしてデータベースに保持し、経営管理者が自由にパラメータを変更できる機能を付加することで、売上高、粗利益、損益といった経営指標数値の見通し数値を容易にシミュレーションできる機能を提供する。また、Ｗｅｂ上で各経営管理者のＰＣからシミュレーションを実行した結果を、新見通し数値として反映させる機能を付加し、過去にシミュレーションした結果をシミュレーションパラメータと併せてシミュレーションシナリオとしてバージョン管理を行い、データベースに蓄積、表示できる機能を提供する。【選択図】  図２
2005301709.tif 000002
【特許請求の範囲】
【請求項１】
ユーザから、売上高又は粗利益に関するシミュレーションを実行する指示を受信し、
前記受信したシミュレーションを実行する指示に基づいて、予めデータベースに格納された形名単位の原価、出荷計画台数、為替等のパラメータを読み出し、
ユーザから前記パラメータを変更する指示を受信し、前記受信したパラメータを変更する指示に基づいて、様々なケースを想定した将来の見通し値をシミュレーションし、
前記シミュレーションの実行結果を数値表示及びグラフ表示させることを特徴とした経営情報表示方法。
【請求項２】
シミュレーション結果を各種設定パラメータを保存したシミュレーション概要（以下、シナリオ）と共にバージョン管理を行い、データベースに保管することで、過去のシミュレーション結果をシナリオから検索実行し、参照することができる機能と、さらにシミュレーション結果をいつでもＷｅｂ上で他のユーザと情報共有できる機能を特徴とした経営情報表示方法。
【請求項３】
シミュレーション実行の際に表示されるシナリオ一覧画面で、シミュレーション数値の初期表示は、シミュレーションシナリオのユーザアクセス回数を監視し、ユーザアクセス回数が最も多いシミュレーションシナリオから順に一覧表示させる機能とシナリオを登録年月日順に表示させる機能を特徴とした経営情報表示方法。
【請求項４】
ユーザから、売上高又は粗利益に関するシミュレーションを実行する指示を受信し、
前記受信したシミュレーションを実行する指示に基づいて、予めデータベースに格納された形名単位の原価、出荷計画台数、為替等のパラメータを読み出し、
ユーザから、前記パラメータを変更する指示を受信し、前記受信したパラメータを変更する指示に基づいて、様々なケースを想定した将来の見通し値をシミュレーションし、
前記シミュレーションの実行結果を数値表示及びグラフ表示し、
前記シミュレーション結果を各種設定パラメータとともにシナリオとし、前記シナリオ及びシナリオのバージョン管理のデータをデータベースに格納し、
前記データベースに格納したシナリオに基づいてシミュレーションを実行し、
前記シナリオに基づいてシミュレーションを実行する際に表示されるシナリオ一覧画面で、シナリオのユーザアクセス回数の監視結果に基づいてユーザアクセス回数が最も多いシミュレーションシナリオから順にシナリオを一覧表示することを特徴とした経営情報表示方法。
【請求項５】
ユーザから売上高、粗利益に関するシミュレーションを実行する指示を受信する手段と、
予めデータベースに格納された形名単位の原価、出荷計画台数、為替等のパラメータを読み出す手段と、
ユーザから前記パラメータを変更する指示を受信し、前記受信したパラメータを変更する指示に基づいて、様々なケースを想定した将来の見通し値をシミュレーションする手段と、
前記シミュレーションの実行結果を数値表示及びグラフ表示させる手段とを含むことを特徴とした経営情報シミュレーションシステム。
【発明の詳細な説明】
【技術分野】
【０００１】
本発明は、Ｗｅｂ上で将来の売上高、粗利益等の見通し数値を様々なケースのもとでシミュレーションを実施する。シミュレーションでは原価、出荷計画台数、為替等といった項目をパラメータとして持ち、これらパラメータの変更をユーザは、Ｗｅｂ上で可能とする。さらにシミュレーション結果は、シミュレーションシナリオと共にデータベースに保管して、過去のシミュレーション結果をいつでも閲覧できるシナリオバージョン管理機能を持たせる。以上の機能を考慮した経営管理シミュレーションシステムに関するものである。
【背景技術】
【０００２】
従来の経営見通し数値作成は、各部署毎に独自に検討実施、数値作成を行い、ある特定の部署（経理部門）で集計した結果を、通常月に数回の経営会議で経営管理者に報告していた。そのため、経営管理者が直接シミュレーションを実施する機会はなく、経営管理者は経営見通し数値の検討、施策実行までの意思決定が遅れていた。
尚、経営に関する情報の抽出に関する技術として特許文献１がある。
【０００３】
【特許文献１】特開２００３−２９６５３９号公報
【発明の開示】
【発明が解決しようとする課題】
【０００４】
従来、経営管理者自身が経営指標数値の見通し数値に関して、シミュレーションを行うことはなく、各部署毎に実施、集計した結果を参照するしかなかった。
【０００５】
本発明では、Ｗｅｂ上で原価、出荷計画台数、為替等をシミュレーションパラメータとしてデータベースに保持し、経営管理者が自由にパラメータを変更できる機能を付加することで、売上高、粗利益、損益といった経営指標数値の見通し数値を容易にシミュレーションできる機能を提供することを目的とする。
【０００６】
従来、経営指標数値は日々管理されており、Ｗｅｂ上で将来の見通し数値を数値及びグラフとして表示させているが、シミュレーションの結果を新見通し数値として反映させる機能はなかった。
【０００７】
本発明ではＷｅｂ上で各経営管理者のＰＣからシミュレーションを実行した結果を、新見通し数値として反映させる機能を付加し、過去にシミュレーションした結果をシミュレーションパラメータと併せてシミュレーションシナリオとしてバージョン管理を行い、データベースに蓄積、表示できる機能を提供することを目的とする。
【課題を解決するための手段】
【０００８】
上記課題を解決する為に、下記の手段を備える。
上記目的を達成するために売上高、粗利益、損益といった経営指標数値を単位に、各部門毎で算出した各見通し数値をＷｅｂ上でグラフとして表示させる。見通し数値の算出パラメータとして形名単位の原価データ予測値、形名単位の出荷計画台数、為替等をデータベースに保持し、これら各種パラメータをユーザ側で自由に変更可能とし、シミュレーションを実施する。過去に実行したシミュレーション結果は、シミュレーションシナリオと共にバージョン管理を行い、過去にシミュレーションした結果との比較を可能とする機能に加え、経営管理シミュレーションシステムへの反映させる機能も持たせる。
【発明の効果】
【０００９】
本発明を採用することにより、経営管理者がＷｅｂ上で容易にシミュレーションを実施できることや、第３者の実施したシミュレーション結果を複数同時に並べて表示（バージョン管理機能）が可能となる。そのため従来の担当部署毎で実施した結果を精査する方法と比べ経営幹部同士がお互いにやり取りを実施する機会を増やし、次への行動までの時間を大幅に時間短縮することができ、また、WEB上での管理となるので、資源節約に繋がるほか、経営者一人一人がシミュレーションパラメータを変更することで様々なケースを想定したシミュレーションを実施することが可能となる。
【発明を実施するための最良の形態】
【００１０】
以下、本発明の実施形態について図面により詳細に説明する。
本発明はシミュレーション結果とシナリオを結び付け、画面上に様々なパターンの見通し数値を表示させることができる機能に加え、経営管理者がスピード経営に、迅速に対応することを支援するビジネスモデルである。
【００１１】
まず本システムの概要について図１の経営管理システム概要図に従って説明する。本システムは、経営管理システムサーバ（１０）、イントラネット（２０）、クライアントＰＣ（３０）により構成される。経営管理システムサーバ（１０）はＡＰ（アプリケーション）サーバ（１１）とＤＢ（データベース）サーバ（１２）から構成される。見通し数値データは経営管理システムサーバ（１０）内にあるＤＢサーバ（１２）に登録してある形名単位の原価データ、出荷計画台数、出荷計画台数に対するヒット率、為替から算出する。ＡＰサーバ（１１）は、イントラネット（２０）を介してクライアント（３０）のＷｅｂブラウザに出力するためのプログラム処理機能を有する。また、クライアント（３０）はイントラネット（２０）で繋がれているネットワーク内であれば、どこからでもＡＰサーバ（１１）にアクセスし、シミュレーションプログラムを実行することが可能である。
【００１２】
シミュレーション数値処理算出方法について、図２のシミュレーション数値算出方式処理概要図に従って説明する。シミュレーション値算出の元となるデータを他システムサーバ（１３）より抽出して経営管理システムサーバ（１０）に格納する。他システムサーバ（１３）から経営管理システムサーバ（１０）に登録した形名単位の原価データ、形名単位の出荷計画台数、形名単位の出荷計画台数に対するヒット率、為替に対して、クライアント（３０）から変更を可能とする。これら変更した内容はシミュレーション画面からシナリオ（４０）としてＤＢサーバ（１２）に格納することができ、シミュレーション結果を保持することが可能となっている。
【００１３】
次に見通し数値からシミュレーション数値作成までの処理概要を図３のシミュレーション数値作成フローチャートに従って説明する。他システムサーバ（１３）から経営管理システムサーバ（１０）にて見通し数値を算出する元となる形名単位の出荷計画台数、形名単位の原価データ、為替データを取得し、ＤＢサーバ（１２）に格納する（ステップ１０１）。他システムサーバ（１３）から取得したデータを元に見通し値を算出しＡＰサーバ（１１）にクライアント（３０）の要求に応じて値を渡す（ステップ１０２）。取得した見通し値を元にクライアント（３０）のブラウザ上にグラフ及び表で表示を行う。
【００１４】
この見通し数値を算出するために使用した形名単位の原価、出荷計画台数、出荷計画台数に対するヒット率、為替の各種パラメータを、クライアント（３０）の端末から変更可能とする（ステップ１０３）。変更したパラメータに対して、ステップ１０２で算出した計算式で再計算を実施する（ステップ１０４）。シミュレーションは何度でも実施可能とし、（ステップ１０６）、最終的にシミュレーション結果を経営管理システムに反映させる場合は、各種パラメータを保持したシナリオを同時に作成し（ステップ１０５）、シミュレーション結果と共にDBサーバ（１２）に格納する（ステップ１０７）。
【００１５】
次にシミュレーション結果の画面表示について、図４のシミュレーション表示までの処理概要図に従って説明する。過去に登録されたシミュレーションのシナリオをDBサーバ（１２）から一覧表示させる。シナリオ一覧画面（２０１）からシナリオを選択し、選択したシナリオをグラフ表示させるシミュレーション表示画面（２０３）から成る。但し、新規作成（２０７）ボタン押下時はシミュレーションを実行することができる。このシナリオ一覧画面（２０１）はアクセス回数をカウントしておき、シナリオ表示の際にはアクセス回数が最も多いシナリオから順に表示する機能と登録年月日順に表示させる機能の２つを併せ持つ（２００）。シナリオ一覧画面（２０１）では各シナリオにチェックボックスがあり（２０２）、ON／OFFをすることでグラフ表示の可否を選択可能である。
【００１６】
シミュレーション表示画面（２０３）では、現在までの実績値を表示させるグラフ（２０４）と、シナリオ一覧画面（２０１）で選択したシナリオに対する未来の見通し数値を表示させるグラフ（２０５）で構成される。またグラフ下部にはグラフ表示しているシミュレーション値に対するシナリオを一覧表示させる欄（２０６）がある。シミュレーションをした結果は保存ボタン（２０８）により、経営システムサーバ（１０）のDBサーバ（１２）にシナリオ（４０）と共に保管する機能を有す。
【００１７】
シミュレーション数値がクライアント（３０）の画面に表示されるまでの処理について、図５のシミュレーション画面表示処理フローに従って説明する。クライアント（３０）はシミュレーション実行時、シナリオ一覧画面（２０１）から表示させたいシナリオをチェックボックス（２０２）にて選択する（ステップ３０１）。このとき、シナリオの並び順としてアクセス回数順、登録年月日順の２つをプルダウンにて選択することができる（ステップ３０２）。シナリオ選択後、チェックボックスにて選択したシナリオに対するシミュレーション結果をＤＢサーバ（１２）からデータを取得し、シミュレーション表示画面（２０３）に表示させる（ステップ３０７、ステップ３０４）。
【００１８】
また経営管理システムサーバ（１０）では、シナリオ一覧画面（２０１）でアクセス回数順にシナリオを表示させるためにシミュレーション表示させたシナリオに対して表示回数をカウントしておく（ステップ３０８）。シミュレーション表示画面を見て、シミュレーションを実施し（ステップ３０５）、シナリオ作成後（ステップ３０６）、ＤＢサーバ（１２）にシミュレーション結果とシナリオを保存する（３０９）。ＤＢサーバ（１２）に保管後、シミュレーション結果をシミュレーション表示画面（２０３）に表示させる。
【００１９】
このように、シミュレーションプログラムは、ユーザから、売上高又は粗利益に関するシミュレーションを実行する指示を受信し、前記受信したシミュレーションを実行する指示に基づいて、予めデータベースに格納された形名単位の原価、出荷計画台数、為替等のパラメータを読み出し、ユーザから前記パラメータを変更する指示を受信し、前記受信したパラメータを変更する指示に基づいて、様々なケースを想定した将来の見通し値をシミュレーションし、前記シミュレーションの実行結果を画面へ数値表示及びグラフ表示させる。
【００２０】
以上説明したように、本実施例により、経営管理者がＷｅｂ上で容易にシミュレーションを実施できることや、第３者の実施したシミュレーション結果を複数同時に並べて表示（バージョン管理機能）が可能となる。
【００２１】
そのため従来の担当部署毎で実施した結果を精査する方法と比べ経営幹部同士がお互いにやり取りを実施する機会を増やし、次への行動までの時間を大幅に時間短縮することができ、また、WEB上での管理となるので、資源節約に繋がるほか、経営者一人一人がシミュレーションパラメータを変更することで様々なケースを想定したシミュレーションを実施することを可能となる。
【図面の簡単な説明】
【００２２】
【図１】経営管理システム概要図。
【図２】シミュレーション値算出方式処理概要図。
【図３】シミュレーション値作成フローチャート。
【図４】シミュレーショングラフ表示までの処理概要図。
【図５】シミュレーション画面表示処理フロー。
【符号の説明】
【００２３】
１０    経営システムサーバ
１１    APサーバ
１２    DBサーバ
２０    イントラネット
３０    クライアント
４０    シナリオ
２０１    シナリオ一覧画面
２０２    シナリオチェックボックス
２０３    シミュレーション表示画面
２０４    実績値折れ線グラフ
２０５    見通し値、シミュレーション値折れ線グラフ
２０６    シナリオ概要表示欄
【図１】
2005301709.tif 000003
【図２】
2005301709.tif 000004
【図３】
2005301709.tif 000005
【図４】
2005301709.tif 000006
【図５】
2005301709.tif 000007